(57)【要約】【課題】部品を追加することなく、押圧ボタン部材のがたつきや傾きを抑制することを可能にした押圧式スイッチ装置を提供すること。【解決手段】複数の操作ボタン部が接続された押圧式スイッチ装置において、保持部を有する固定部材と、押圧操作可能な操作ボタン部、前記固定部材の前記保持部に係合する係合部、押し軸、および前記操作ボタン部と前記係合部とを接続する支持アームが形成された押圧ボタン部材と、前記固定部材との間に前記押圧ボタン部材を保持した状態で前記固定部材に固定される受け部材と、前記受け部材に固定されたスイッチ部を備え、前記支持アームは、複数の接続部により前記操作ボタン部に接続され、前記固定部材に付勢する複数の凸部を有し、前記複数の凸部は、前記複数の接続部の間に配置され、前記複数の凸部が前記固定部材に付勢されることにより、前記押し軸が前記スイッチ部に対し接触した状態で前記固定部材に固定されることを特徴とする。【選択図】図１
2018181621.tif 000002
【特許請求の範囲】
【請求項１】
複数の操作ボタン部が接続された押圧式スイッチ装置において、
保持部を有する固定部材と、
押圧操作可能な操作ボタン部、前記固定部材の前記保持部に係合する係合部、押し軸、および前記操作ボタン部と前記係合部とを接続する支持アームが形成された押圧ボタン部材と、
前記固定部材との間に前記押圧ボタン部材を保持した状態で前記固定部材に固定される受け部材と、
前記受け部材に固定されたスイッチ部を備え、
前記支持アームは、複数の接続部により前記操作ボタン部に接続され、前記固定部材に付勢する複数の凸部を有し、
前記複数の凸部は、前記複数の接続部の間に配置され、
前記複数の凸部が前記固定部材に付勢されることにより、前記押し軸が前記スイッチ部に対し接触した状態で前記固定部材に固定されることを特徴とする押圧式スイッチ装置。
【請求項２】
前記押圧ボタン部材は、前記複数の操作ボタン部の間に、前記複数の接続部の間に配置された前記複数の凸部とは異なる複数の凸部を有し、
前記複数の接続部は、前記複数の操作ボタン部に対してそれぞれ対向した位置に配置され、
前記複数の接続部の断面面積は、前記支持アームの断面積よりも小さいことを特徴とする請求項１に記載の押圧式スイッチ装置。
【発明の詳細な説明】
【技術分野】
【０００１】
本発明は、例えばデジタルカメラやデジタルビデオカメラ等の電子機器に設けられる押圧式スイッチ装置、及び押圧式スイッチ装置を備える電子機器に関する。
【背景技術】
【０００２】
従来、押圧ボタン部材の操作ボタン部のがたつきや傾きを抑制する押圧式スイッチ装置が提案されている。
【０００３】
特許文献１には、操作ボタン部を支持する支持アームに固定面に当接する凸部を有し、操作ボタン部の傾きを抑制する技術が開示されている。
【０００４】
特許文献２には、支持アームは押圧ボタン部材の受け部材に当接する凸部を有し、受け部材が支持アームを弾性変形させた状態で外装カバーに固定されることで、操作ボタン部のがたつきを抑制する技術が開示されている。
【先行技術文献】
【特許文献】
【０００５】
【特許文献１】特開２０１０−３３８９４号公報
【特許文献２】特開２０１３−１８２６６５号公報
【発明の概要】
【発明が解決しようとする課題】
【０００６】
しかしながら、上述の特許文献に開示された従来技術では、押圧ボタン部材における寸法誤差や取付位置の寸法誤差が発生した場合には押圧ボタン部材とスイッチとの間に隙間があいてしまい、押圧ボタン部材を押圧操作する際にがたつきが発生してしまう。
【０００７】
そこで、本発明の目的は、部品を追加することなく、押圧ボタン部材のがたつきや傾きを抑制することを可能にした押圧式スイッチ装置を提供することにある。
【課題を解決するための手段】
【０００８】
上記の目的を達成するために、本発明に係る押圧式スイッチ装置は、
複数の操作ボタン部が接続された押圧式スイッチ装置において、
保持部を有する固定部材と、
押圧操作可能な操作ボタン部、前記固定部材の前記保持部に係合する係合部、押し軸、および前記操作ボタン部と前記係合部とを接続する支持アームが形成された押圧ボタン部材と、
前記固定部材との間に前記押圧ボタン部材を保持した状態で前記固定部材に固定される受け部材と、
前記受け部材に固定されたスイッチ部を備え、
前記支持アームは、複数の接続部により前記操作ボタン部に接続され、前記固定部材に付勢する複数の凸部を有し、
前記複数の凸部は、前記複数の接続部の間に配置され、
前記複数の凸部が前記固定部材に付勢されることにより、前記押し軸が前記スイッチ部に対し接触した状態で前記固定部材に固定されることを特徴とする。
【発明の効果】
【０００９】
本発明によれば、部品を追加することなく、押圧ボタン部材のがたつきや傾きを抑制することを可能にした押圧式スイッチ装置を提供することができる。
【図面の簡単な説明】
【００１０】
【図１】本発明の電子機器の実施形態の一例であるデジタルカメラに取り付けられる押圧式スイッチ装置の分解斜視図である。
【図２】図１を背面側から天地逆に見た押圧式スイッチ装置の分解斜視図である。
【発明を実施するための形態】
【００１１】
以下に、本発明の好ましい実施の形態を、添付の図面に基づいて詳細に説明する。
【００１２】
図１は本発明の電子機器の実施形態の一例であるデジタルカメラに取り付けられる押圧式スイッチ装置の分解斜視図、図２は図１を背面側から見た押圧式スイッチ装置の分解斜視図である。
【００１３】
図１及び図２に示すように、本実施形態の押圧式スイッチ装置は、デジタルカメラのカメラ本体の外装カバー１に取り付けられる。外装カバー１は、本実施形態では樹脂成形品とされている。外装カバー１には、２つの開口部１１が形成される。ここで、外装カバー１は、本発明の固定部材に相当する。
【００１４】
押圧ボタン部材２は、樹脂等で一体成形された２つの操作ボタン部２１ａ、２１ｂを有し、操作ボタン部２１ａ、２１ｂが外装カバー１の開口部１１に押圧操作可能に組み付けられる。フレキシブルプリント基板３は、弾性を有するドーム状の金属板で構成されたスイッチ部３１が操作ボタン部２１ａ、２１ｂの押し軸２２に略対向して実装されている。フレキシブルプリント基板３は、受け部材４に両面テープ等を介して固定されている。操作ボタン部２１ａ、２１ｂを押圧操作すると、押し軸２２によりスイッチ部３１が押され、スイッチ部３１から検知信号がスイッチ信号処理回路に出力されて、所定の信号処理が行われる。
【００１５】
受け部材４には、２つの位置決め用の穴部４１が形成されており、穴部４１はそれぞれ外装カバー１に形成された２つのボス１２に嵌め込まれる。また、受け部材４のねじ挿通穴４２が外装カバー１に形成されたねじ穴１３に対応して形成されている。そして受け部材４の穴部４１を外装カバー１のボス１２に嵌め込むことで、外装カバー１に対して受け部材４が位置決めされる。この状態で、受け部材４のねじ挿通穴４２に挿入したねじ５を外装カバー１のねじ穴１３にねじ込むことで、受け部材４が外装カバー１との間に押圧ボタン部材２を保持した状態で外装カバー１に固定される。
【００１６】
次に、押圧ボタン部材２の構成について詳述する。押圧ボタン部材２は、２つの操作ボタン部２１ａ、２１ｂの周囲に支持アーム２３が形成される。支持アーム２３は、操作ボタン部２１ａ、２１ｂの形状から略一定の距離離れた位置に配置される。２つの操作ボタン部２１ａ、２１ｂはそれぞれ操作ボタン部２１ａ、２１ｂに対して略対向した位置に配置されたそれぞれ２つの接続部２４ａ、２４ｂによって支持アーム２３に接続されている。ここで、接続部２４ａ、２４ｂの断面積は支持アーム２３の断面積よりも小さい。
【００１７】
支持アーム２３の２つの接続部２４ａの間には、第１の凸部２５ａが外装カバー１側に形成される。同様に、支持アーム２３の２つの接続部２４ｂの間には、第１の凸部２５ｂが外装カバー１側に形成される。また、第１の凸部２１ａと第１の凸部２５ｂの間には、２つの第２の凸部２６がフレキシブルプリント基板３側に形成される。２つの第２の凸部２６の間には、第３の凸部２７が外装カバー１側に形成される。係合部２８は、第３の凸部２７の内側に形成され、外装カバー１の保持部１５に係合することで、押圧ボタン部材２の位置を決めている。
【００１８】
第１の凸部２５ａ、２５ｂは、受け部材４が外装カバー１に固定された状態において、外装カバー１のリブ部１４に付勢される。これにより、押圧ボタン部材２の押し軸２２が、フレキシブルプリント基板３のスイッチ部３１に常に接触した状態となり、操作ボタン部２１ａ、２１ｂの押圧操作方向へのがたつきを防止できる。ここで、第１の凸部２５ａ、２５ｂは、それぞれ接続部２４ａ、２４ｂの間に配置されているため、第１の凸部２５ａ、２５ｂが外装カバー１のリブ部に付勢することにより操作ボタン部２１ａ、２１ｂが傾くことを抑制できる。
【００１９】
第２の凸部２６はフレキシブルプリント基板３に付勢され、第３の凸部２７は外装カバー１に付勢される。これにより、操作ボタン部２１ａ、２１ｂのどちらか一方を押圧操作した際に、支持アーム２３が弾性変形しても、その変形がもう一方の操作ボタン部に伝わることを抑制できる。また、上述したように接続部２４ａ、２４ｂの断面積が支持アーム２３の断面積より小さいことで、操作ボタン部２１ａ、２１ｂを押圧操作した際に、接続部２４ａ、２４ｂが弾性変形を吸収し、支持アーム２３の弾性変形を抑制できる。以上により、操作ボタン部２１ａ、２１ｂのどちらか一方を押圧操作した際に、もう一方が連動して動いてしまうことを防止できる。
【００２０】
また、操作ボタン部２１ａ、２１ｂは、操作ボタン部２１ａ、２１ｂに対して略対向した位置で接続部２４ａ、２４ｂによって支持アーム２３に接続されるため、操作ボタン部２１ａ、２１ｂを押圧操作した際に、操作ボタン部２１ａ、２１ｂが傾くことを抑制できる。
【００２１】
以上説明したように、本実施形態では部品を追加することなく、操作ボタン部のがたつきや傾きを抑制できる押圧式スイッチ装置を提供することができる。
【００２２】
以上、本発明の好ましい実施形態について説明したが、本発明はこれらの実施形態に限定されず、その要旨の範囲内で種々の変形及び変更が可能である。
【符号の説明】
【００２３】
１  外装カバー（固定部材）、１５  保持部、２  押圧ボタン部材、
２１ａ，２１ｂ  操作ボタン部、２２  押し軸、２３  支持アーム、
２４ａ，２４ｂ  接続部、２５ａ，２５ｂ  第１の凸部、２６  第２の凸部、
２７  第３の凸部、２８  係合部、３１  スイッチ部、４  受け部材
【図１】
2018181621.tif 000003
【図２】
2018181621.tif 000004